(57)【要約】【課題】家電機器をアクセスポイントに接続させるためのユーザの手間を削減した情報処理装置、システム、及びプログラムを提供することである。【解決手段】家電機器及び無線アクセスポイントに無線接続する無線接続部と、前記無線接続部が前記無線アクセスポイントに接続するためのＡＰ接続情報を保持する保持部と、前記無線接続部が無線接続先を前記無線アクセスポイントから前記家電機器に切り替えた場合に、前記保持部に保持されている前記ＡＰ接続情報を前記家電機器に送信する送信部と、を備えた。【選択図】図５
2020036224.tif 000002
【特許請求の範囲】
【請求項１】
家電機器及び無線アクセスポイントに無線接続する無線接続部と、
前記無線接続部が前記無線アクセスポイントに接続するためのＡＰ接続情報を保持する保持部と、
前記無線接続部が無線接続先を前記無線アクセスポイントから前記家電機器に切り替えた場合に、前記保持部に保持されている前記ＡＰ接続情報を前記家電機器に送信する送信部と、
を備えた情報処理装置。
【請求項２】
前記保持部は、前記ＡＰ接続情報として、暗号化キーを保持する請求項１に記載の情報処理装置。
【請求項３】
前記保持部により保持されている前記ＡＰ接続情報を表示する請求項１または請求項２に記載の情報処理装置。
【請求項４】
前記保持部は、前記無線接続部が前記家電機器に接続するための家電接続情報の少なくとも一部を保持する請求項１から請求項３のいずれか１項に記載の情報処理装置。
【請求項５】
前記保持部により保持されている前記家電接続情報を表示する請求項４に記載の情報処理装置。
【請求項６】
前記無線接続部による前記家電機器または前記無線アクセスポイントとの接続状態を表示する請求項１から請求項５のいずれか１項に記載の情報処理装置。
【請求項７】
前記無線接続部の無線接続先が前記無線アクセスポイントから前記家電機器へ正常に切り替わらなかった場合に、切り替えが正常に行われなかったこと、及び切り替えを正常に行うための対処方法を表示する請求項１から請求項６のいずれか１項に記載の情報処理装置。
【請求項８】
家電機器及び情報処理装置を含むシステムであって、
前記情報処理装置は、
家電機器及び無線アクセスポイントに無線接続する第１無線接続部と、
前記第１無線接続部が前記無線アクセスポイントに接続するためのＡＰ接続情報を保持する保持部と、
前記第１無線接続部が無線接続先を前記無線アクセスポイントから前記家電機器に切り替えた場合に、前記保持部に保持されている前記ＡＰ接続情報を前記家電機器に送信する送信部と、
を備え、
前記家電機器は、
前記ＡＰ接続情報を受信する受信部と、
前記受信部により受信された前記ＡＰ接続情報を用いて前記無線アクセスポイントに接続する第２無線接続部と、
を備えたシステム。
【請求項９】
コンピュータを、
家電機器及び無線アクセスポイントに無線接続する無線接続部と、
前記無線接続部が前記無線アクセスポイントに接続するためのＡＰ接続情報を保持する保持部と、
前記無線接続部が無線接続先を前記無線アクセスポイントから前記家電機器に切り替えた場合に、前記保持部に保持されている前記ＡＰ接続情報を前記家電機器に送信する送信部として機能させるためのプログラム。
【発明の詳細な説明】
【技術分野】
【０００１】
本発明の実施形態は、情報処理装置、システム及びプログラムに関する。
【背景技術】
【０００２】
ネットワークに接続可能な家電機器には、家庭内に設けられたアクセスポイントを経由してネットワークに接続ものが多い。従来の家電機器は、アクセスポイントに接続するために、ユーザがＳＳＩＤ等を入力する必要があるため、ユーザの手間がかかる場合があった。
【先行技術文献】
【特許文献】
【０００３】
【特許文献１】特許第５３９６８６３号公報
【発明の概要】
【発明が解決しようとする課題】
【０００４】
本発明が解決しようとする課題は、家電機器をアクセスポイントに接続させるためのユーザの手間を削減した情報処理装置、システム、及びプログラムを提供することである。
【課題を解決するための手段】
【０００５】
実施形態の情報処理装置は、無線接続部と、保持部と、送信部とを持つ。無線接続部は、家電機器及び無線アクセスポイントに無線接続する。保持部は、前記無線接続部が前記無線アクセスポイントに接続するためのＡＰ接続情報を保持する。送信部は、前記無線接続部が無線接続先を前記無線アクセスポイントから前記家電機器に切り替えた場合に、前記保持部に保持されている前記ＡＰ接続情報を前記家電機器に送信する。
【図面の簡単な説明】
【０００６】
【図１】実施形態のスマートフォン３０を含む全体構成例を示す図。
【図２】冷蔵庫１０の構成例を示す図。
【図３】スマートフォン３０の構成例を示す図。
【図４】表示部３０２に表示される画面の遷移例を示す図。
【図５】処理の流れを示すシーケンス図。
【図６】スマートフォン３０の処理の流れを示すフローチャート。
【図７】スマートフォン３０の処理の流れを示すフローチャート。
【図８】冷蔵庫１０の処理の流れを示すフローチャート。
【発明を実施するための形態】
【０００７】
以下、実施形態の情報処理装置、システム、及びプログラムを、図面を参照して説明する。
【０００８】
図１は、実施形態のスマートフォン３０を含む全体構成例を示す図である。図１には、サーバ４０、ネットワーク５０、及び家庭内通信システム１００が示されている。家庭内通信システム１００は、冷蔵庫１０、アクセスポイント２０、及びスマートフォン３０を含む。スマートフォン３０は、情報処理装置の一例である。冷蔵庫１０は、家電機器の一例である。
【０００９】
アクセスポイント２０は、ネットワーク５０に接続するためのホームゲートウェイとしての機能と、無線ＬＡＮ（Local Area Network）のルータとしての機能を備える。アクセスポイント２０にクライアントとして無線接続するためには、ＳＳＩＤ（Service Set Identifier）及び暗号化キーが必要である。ネットワーク５０は、インターネット、一般電話回線、及び携帯電話回線等で構成される。サーバ４０は、冷蔵庫１０を遠隔操作可能なユーザに関する情報等を記憶する。
【００１０】
実施形態の冷蔵庫１０は、ステーションモード及びアクセスポイントモードとして動作可能である。冷蔵庫１０は、ステーションモードとして動作する場合、アクセスポイント２０のＳＳＩＤ及び暗号化キーを用いて、アクセスポイント２０のクライアントとして動作可能である。また、冷蔵庫１０は、アクセスポイントモードとして動作する場合、スマートフォン３０をクライアントとすることができる。以下の説明では、アクセスポイント２０のＳＳＩＤ及び暗号化キーをＡＰ接続情報と表現することがある。
【００１１】
スマートフォン３０には、冷蔵庫１０のクライアントとして動作したり、アクセスポイント２０のクライアントとして動作するためのアプリケーションがインストールされている。アプリケーションは、冷蔵庫１０にクライアントとして無線接続するための家電接続情報を保持する。アプリケーションは、冷蔵庫１０の製造メーカが指定した冷蔵庫１０のＳＳＩＤ及び暗号化キーをアプリケーションデータとして保持している。従って、スマートフォン３０のユーザは、冷蔵庫１０のＳＳＩＤ及び暗号化キーを入力する必要がない。以下の説明では、冷蔵庫１０のＳＳＩＤ及び暗号化キーを家電接続情報と表現することがある。
【００１２】
次に、冷蔵庫１０の構成例について説明する。図２は、冷蔵庫１０の構成例を示す図である。冷蔵庫１０は、制御部１０１を備える。制御部１０１は、ＣＰＵ（Central Processing Unit）１１０、ＲＯＭ（Read Only Memory）１１１、ＲＡＭ（Random Access Memory）１１２、及びタイマ１１３を備える。ＣＰＵ１１０は、冷蔵庫１０全体を制御する。ＲＯＭ１１１は、ＣＰＵ１１０が実行するプログラムや制御に必要な各種データ等を記憶する。ＲＡＭ１１２は、プログラムやデータを一時的に記憶する。
【００１３】
冷蔵庫１０は、操作パネル１０２を備える。操作パネル１０２は、ユーザによる設定を受け付けたり、制御部１０１の指示により、ユーザに対して冷蔵庫１０に関する各種情報を表示する。操作パネル１０２は、受け付けた設定を示す情報を制御部１０１に出力する。冷蔵庫１０は、温度センサ１０３を備える。温度センサ１０３は、庫内の温度を検出し、検出した温度を制御部１０１に出力する。冷蔵庫１０は、開扉センサ１０４を備える。開扉センサ１０４は、扉の開閉状態を検出し、検出した開閉状態を制御部１０１に出力する。
【００１４】
冷蔵庫１０は、通信モジュール１０５を備える。通信モジュール１０５は、無線ＬＡＮの規格に従って、アクセスポイント２０やスマートフォン３０との無線接続に関する制御を行う。通信モジュール１０５は、制御部１０１の指示により、上述したステーションモードまたはアクセスポイントモードとして動作する。通信モジュール１０５は、第２無線接続部、受信部の一例である。
【００１５】
冷蔵庫１０は、冷蔵用冷却機構１０６及び冷凍用冷却機構１０７を備える。冷蔵用冷却機構１０６は、制御部１０１の指示により、冷蔵室を冷却する。冷凍用冷却機構１０７は、制御部１０１の指示により、冷凍室を冷却する。冷蔵庫１０は、除湿装置１０８を備える。除湿装置１０８は、制御部１０１の指示により、冷凍サイクルの冷却器に生じる霜を除去する装置であり、通電によって発熱するヒータ等を備えている。冷蔵庫１０は、製氷装置１０９を備える。製氷装置１０９は、制御部１０１の指示により、製氷皿に給水された水を凍らせることで製氷する。
【００１６】
次に、スマートフォン３０の構成例について説明する。図３は、スマートフォン３０の構成例を示す図である。スマートフォン３０は、制御部３０１を備える。制御部３０１は、ＣＰＵ３０５、ＲＯＭ３０６、及びＲＡＭ３０７を備える。これらの構成の他に、スマートフォン３０はカメラ等を備えているが、図３では省略している。ＣＰＵ３０５は、スマートフォン３０全体を制御する。ＲＯＭ３０６は、ＣＰＵ３０５が実行するプログラムや制御に必要な各種データ（例えばＡＰ接続情報、家電接続情報等）を記憶する。ＲＡＭ３０７は、プログラムや各種データを一時的に記憶する。
【００１７】
表示部３０２は、制御部３０１の指示により、ユーザに各種情報を表示する。表示部３０２は、例えば液晶や有機ＥＬ等で構成される。操作部３０３は、ユーザによる操作を受け付ける。操作部３０３は、受け付けた操作を示す情報を制御部３０１に出力する。操作部３０３は、表示部３０２に重畳されたタッチパネルや、ハードキー等で構成される。
【００１８】
通信部３０４は、無線ＬＡＮの各規格に従って、アクセスポイント２０や冷蔵庫１０との無線接続に関する制御を行う。通信部３０４は、４Ｇ（例えば、ＬＴＥ（Long Term Evolution）等）の各規格に従って、携帯電話回線の無線接続に関する制御を行う。通信部３０４は、無線接続部、第１無線接続部の一例である。
【００１９】
上述した構成により、この実施形態では、ユーザがＡＰ接続情報を入力することなく、冷蔵庫１０をアクセスポイント２０に無線接続させることが可能である。まず、スマートフォン３０の表示部３０２に表示される画面について説明する。以下の説明は、スマートフォン３０がアクセスポイント２０のクライアントとして動作しており、冷蔵庫１０がアクセスポイント２０のクライアントとして動作したことがないことを前提としている。
【００２０】
図４は、スマートフォン３０の表示部３０２に表示される画面の遷移例を示す図である。ユーザは、スマートフォン３０にインストールされたアプリケーションにおいて、冷蔵庫１０を遠隔操作対象の家電として登録することができる。アプリケーションにおいて、冷蔵庫１０を登録する場合には、ユーザは、冷蔵庫１０の操作パネル１０２において、アクセスポイントモードで動作させる設定を行う。
【００２１】
画面４０１は、冷蔵庫を登録するための画面である。画面４０１には、「冷蔵庫を追加する」ボタン４３０が表示される。ユーザは、冷蔵庫１０をアクセスポイントモードで動作させたのち、ボタン４３０をタッチすると、画面は画面４０２に遷移する。画面４０２は、アクセスポイント２０のＳＳＩＤ及び暗号化キーを表示する画面である。この画面４０２では、現在無線接続中のアクセスポイント２０のＳＳＩＤ（図ではＸＸＸＸＸＸ）及び暗号化キー（図ではＹＹＹＹＹＹ）が自動で表示される。従って、ユーザはＡＰ接続情報を入力する必要がない。
【００２２】
画面４０２において、ユーザが「次へ」ボタン４３１をタッチすると、画面４０３が表示される。画面４０３は、冷蔵庫１０のＳＳＩＤ及び暗号化キーを表示する画面である。この画面４０３では、冷蔵庫１０のＳＳＩＤ（図ではＺＺＺＺＺＺ）及び暗号化キー（図ではＷＷＷＷＷＷ）が自動で表示される。従って、ユーザは家電接続情報を入力する必要がない。なお、画面４０２、４０３において、ＳＳＩＤ及び暗号化キーは自動で表示されるが、ユーザによる編集は可能である。
【００２３】
画面４０３において、ユーザが「次へ」ボタン４３１をタッチすると、画面４０４が表示される。画面４０４は、冷蔵庫１０と無線接続中であることを示す画面である。スマートフォン３０が冷蔵庫１０と無線接続し、アクセスポイント２０のＳＳＩＤ及び暗号化キーを冷蔵庫１０に送信すると、画面４０５が表示される。画面４０５は、冷蔵庫１０との無線接続が完了したことを示す接続完了画面である。画面４０５は、表示されてから一定時間（例えば５００ｍｓ）経過すると消去され、画面４０６が表示される。
【００２４】
画面４０６は、アクセスポイント２０と無線接続中であることを示す画面である。アクセスポイント２０と無線接続が完了すると（例えばアソシエーションが終了すると）、画面４０７が表示される。画面４０７は、アクセスポイント２０との無線接続が完了したことを示す接続完了画面である。画面４０７は、表示されてから一定時間（例えば５００ｍｓ）経過すると消去され、画面４０１が表示される。
【００２５】
これにより、冷蔵庫１０は、スマートフォン３０から送信されたＡＰ接続情報を用いてアクセスポイント２０に無線接続可能となる。また、ユーザは、ボタン４３１を２回タッチするだけでよいので、従来技術と比較して、ユーザの手間を大幅に削減することができる。
【００２６】
画面４１０は、冷蔵庫１０との無線接続が失敗した場合に表示される接続失敗画面である。画面４１０には、冷蔵庫１０と無線接続できなかったこと、及び冷蔵庫１０がアクセスポイントモードで動作しているかどうかの確認を促すメッセージが表示される。再接続ボタン４３２がタッチされると、画面４０４が表示される。なお、画面４１０に、例えば冷蔵庫１０と無線通信可能な範囲への移動をユーザに促すメッセージを表示してもよい。
【００２７】
画面４２０は、アクセスポイント２０との無線接続が失敗した場合に表示される接続失敗画面である。画面４２０には、アクセスポイント２０と無線接続できなかったこと、及び設定を促すメッセージが表示される。設定ボタン４３３がタッチされると、画面４０２が表示される。画面４０２において、ユーザがＡＰ接続情報を再設定する。アプリケーションは、画面４０２に代えて、ＯＳ（Operating System）が提供するアクセスポイント２０に無線接続するための設定画面を表示してもよい。
【００２８】
上述した画面４０２には、保持されているアクセスポイント２０のＡＰ接続情報が表示される。また、画面４０３には、保持されている冷蔵庫１０の家電接続情報が表示される。これにより、ユーザは無線接続先を確認することができる。さらに、画面４０４には、冷蔵庫１０との無線接続状態が表示される。画面４０６には、アクセスポイント２０との無線接続状態が表示される。これにより、ユーザは無線接続処理の状態を確認することができる。
【００２９】
上述した画面４１０には、無線接続先がアクセスポイント２０から冷蔵庫１０へ切り替えが正常に行われなかったこと（冷蔵庫と接続できませんでした）、及び切り替えを正常に行うための対処方法（冷蔵庫が「アクセスポイントモード」で動作しているか確認してください）が表示される。
【００３０】
また、画面４２０には、無線接続先が冷蔵庫１０からアクセスポイント２０へ切り替えが正常に行われなかったこと（アクセスポイントと接続できませんでした）、及び切り替えを正常に行うための対処方法（設定画面で設定してください）が表示される。
【００３１】
このように、スマートフォン３０は、無線接続先の切り替えが正常に行われなかったことを報知できる。また、スマートフォン３０は、切り替えを正常に行うための対処方法を表示することで、ユーザが対処することが可能となる。
【００３２】
図５は、冷蔵庫１０、アクセスポイント２０、及びスマートフォン３０の処理の流れを示すシーケンス図である。まず、スマートフォン３０は、アクセスポイント２０と無線接続済みであるので、ＡＰ接続情報は保持されている。また、家電接続情報はアプリケーションが既に保持している。
【００３３】
ユーザは、冷蔵庫１０の操作パネル１０２において、アクセスポイントモードで動作させる設定を行う。これにより、冷蔵庫１０は、アクセスポイントモードで動作する（ステップＳ１０１）。ユーザにより、画面４０１のボタン４３０がタッチされることで冷蔵庫の追加が選択されると（ステップＳ１０２）、スマートフォン３０は、画面４０２でＡＰ接続情報を表示する（ステップＳ１０３）。ユーザにより画面４０２のボタン４３１がタッチされると、スマートフォン３０は、画面４０３で家電接続情報を表示する（ステップＳ１０４）。
【００３４】
スマートフォン３０は、冷蔵庫１０と無線接続する（ステップＳ１０５）。このとき、スマートフォン３０は、画面４０４で冷蔵庫１０との無線接続状態を表示する。スマートフォン３０は、冷蔵庫１０と無線接続すると、冷蔵庫１０にＡＰ接続情報を送信する（ステップＳ１０６）。冷蔵庫１０は、ＡＰ接続情報を受信すると、ステーションモードで動作する（ステップＳ１０７）。冷蔵庫１０は、ＡＰ接続情報を用いて、アクセスポイント２０と無線接続する（ステップＳ１０８）。
【００３５】
一方、スマートフォン３０は、ＡＰ接続情報を冷蔵庫１０に送信すると、画面４０５の接続完了画面を表示する（ステップＳ１０９）。スマートフォン３０は、冷蔵庫１０との切断を検出すると（ステップＳ１１０）、アクセスポイント２０と無線接続する（ステップＳ１１１）。このとき、スマートフォン３０は、画面４０６でアクセスポイント２０との無線接続状態を表示する。スマートフォン３０は、アクセスポイント２０との無線接続が完了すると、画面４０７の接続完了画面を表示する（ステップＳ１１２）。
【００３６】
これにより、スマートフォン３０と冷蔵庫１０は、同じサブネット内のネットワークに存在することとなる。そこで、スマートフォン３０は、冷蔵庫１０と通信するために、冷蔵庫１０からの応答を要求する検索要求をブロードキャストで送信する（ステップＳ１１３）。検索要求は、アクセスポイント２０を介して、冷蔵庫１０に送信される（ステップＳ１１４）。冷蔵庫１０は、検索要求を受信すると、送信元のＩＰアドレスを送信先とし、検索応答を送信する（ステップＳ１１５）。検索応答は、アクセスポイント２０を介して、スマートフォン３０に送信される（ステップＳ１１６）。これにより、スマートフォン３０及び冷蔵庫１０は、相手のＩＰアドレスを取得できるので、互いに通信が可能となる。なお、検索要求は家電機器を提供するメーカが独自のメッセージであるため、他の機器がブロードキャストで送信される検索要求に対して応答することはない。
【００３７】
次に、スマートフォン３０と冷蔵庫１０の処理の流れについて説明する。以下のフローチャートにおいて、アクセスポイント２０はＡＰと略記されている。図６は、スマートフォン３０の処理の流れを示すフローチャートである。図６に示されるフローチャートは、図４で示した画面４０１において、ボタン４３０がタッチされた時点から開始される処理の流れを示している。
【００３８】
スマートフォン３０の制御部３０１は、現在無線接続中のアクセスポイント２０のＡＰ接続情報を取得し（ステップＳ２０１）、取得したＡＰ接続情報を保持する（ステップＳ２０２）。ＡＰ接続情報は、例えばシステムコールを用いて取得される。また、ＡＰ接続情報には暗号化キーが含まれるため、制御部３０１は暗号化キーを保持している。制御部３０１は、画面４０２で示したように、保持されたＡＰ接続情報を表示する（ステップＳ２０３）。制御部３０１は、画面４０２において「次へ」ボタン４３１がタッチされると（ステップＳ２０４：ＹＥＳ）、家電接続情報を取得し（ステップＳ２０５）、画面４０３で示したように、家電接続情報を表示する（ステップＳ２０６）。家電接続情報は、上述したようにアプリケーションにより予め保持されている。
【００３９】
制御部３０１は、画面４０３において「次へ」ボタン４３１がタッチされると（ステップＳ２０７：ＹＥＳ）、冷蔵庫１０への無線接続を開始する（ステップＳ２０８）。すなわち、無線接続先がアクセスポイント２０から冷蔵庫１０に切り替わる。制御部３０１は、画面４０４に示したように、冷蔵庫１０との無線接続状態を表示する（ステップＳ２０９）。制御部３０１は、冷蔵庫１０との無線接続が成功したか否かを判定する（ステップＳ２１０）。無線接続が失敗した場合には（ステップＳ２１０：ＮＯ）、制御部３０１は、画面４１０の接続失敗画面を表示する（ステップＳ２１１）。その後、ユーザが冷蔵庫１０に対し、アクセスポイントモードで動作させる設定を行うなどして、画面４１０の再接続ボタン４３２がタッチする。制御部３０１は、再接続ボタン４３２がタッチされると（ステップＳ２１２：ＹＥＳ）、上記ステップＳ２０８で再び冷蔵庫１０への無線接続を開始する（ステップＳ２０８）。
【００４０】
ステップＳ２１０において、無線接続に成功した場合には（ステップＳ２１０：ＹＥＳ）、制御部３０１は、図７のステップＳ３０１に進む。ステップＳ３０１において、制御部３０１は、冷蔵庫１０にＡＰ接続情報を送信する（ステップＳ３０１）。すなわち、保持されているＡＰ接続情報が冷蔵庫１０に送信される。制御部３０１は、画面４０５の接続完了画面を表示する（ステップＳ３０２）。制御部３０１は、冷蔵庫１０との切断を検出すると（ステップＳ３０３：ＹＥＳ）、アクセスポイント２０への無線接続を開始する（ステップＳ３０４）。制御部３０１は、画面４０８に示したように、アクセスポイント２０との無線接続状態を表示する（ステップＳ３０５）。
【００４１】
制御部３０１は、冷蔵庫１０との無線接続が成功したか否かを判定する（ステップＳ３０６）。無線接続が成功した場合には（ステップＳ３０６：ＹＥＳ）、制御部３０１は、画面４０７の接続完了画面を表示して（ステップＳ３０７）、処理を終了する。無線接続が失敗した場合には（ステップＳ３０６：ＮＯ）、制御部３０１は、画面４２０の接続失敗画面を表示する（ステップＳ３０８）。制御部３０１は、ユーザにアクセスポイント２０の正しいＡＰ接続情報を入力させるためのＡＰ接続情報入力画面を表示する（ステップＳ３１０）。このＡＰ接続情報入力画面は、画面４０２である。上述したように、画面４０２は、ユーザによる編集が可能なため、ユーザはＡＰ接続情報を入力できる。
【００４２】
制御部３０１は、ＡＰ接続情報入力画面において「次へ」ボタン４３１がタッチされると（ステップＳ３１０：ＹＥＳ）、上記ステップＳ３０４に進み、再びアクセスポイント２０への無線接続を開始する（ステップＳ３０４）。
【００４３】
図８は、冷蔵庫１０の処理の流れを示すフローチャートである。図８に示されるフローチャートは、冷蔵庫１０がアクセスポイントモードに移行した時点から開始される処理の流れを示している。冷蔵庫１０の制御部１０１は、スマートフォン３０と無線接続し（ステップＳ４０１）、ＡＰ接続情報を受信する（ステップＳ４０２）。制御部１０１は、受信したＡＰ接続情報を用いて、アクセスポイント２０と無線接続する（ステップＳ４０３）。その後、制御部１０１は、スマートフォン３０が送信した検索要求を受信し（ステップＳ４０４）、検索応答を送信して（ステップＳ４０５）、処理を終了する。
【００４４】
以上説明した実施形態では、スマートフォン３０において、冷蔵庫１０のＳＳＩＤ及び暗号化キーが保持されるが、ＳＳＩＤ及び暗号化キーの少なくとも一方を保持してもよい。また、この実施形態におけるスマートフォン３０は家電接続情報を予め保持しているが、他装置（例えば製造メーカのサーバ）から家電接続情報を取得してもよい。
【００４５】
情報処理装置の一例としてスマートフォン３０を用いたが、情報処理装置は、タブレット端末やパソコンなど、家電機器と無線通信可能な装置であればよい。また、アクセスポイントの一例としてホームゲートウェイとしての機能とルータとしての機能を備えた装置を例にしたが、ホームゲートウェイとしての機能のない無線ＬＡＮルータであってもよい。
【００４６】
この実施形態では、ユーザがスマートフォン３０をアクセスポイント２０に無線接続して使用していることを前提としている。そのため、家庭内にアクセスポイントがあるにもかかわらず、ユーザが携帯電話回線を使用している場合には、アプリケーションはユーザにアクセスポイントへの無線接続を促すようにしてもよい。
【００４７】
この実施形態では、冷蔵庫１０をアクセスポイント２０に無線接続させるために、冷蔵庫１０をアクセスポイントモードで動作させる。このアクセスポイントモードでの動作時間は、ＡＰ接続情報を受信するまでの時間であるため、セキュリティ的にはほとんど問題ない。そのため、冷蔵庫１０の家電接続情報を、個体ごとに異なるものとせずに、同じ家電接続情報を用いてもよい。この場合、家電機器の製造ラインにおいて、家電接続情報の記録を同じ手順で行うことができるので、工数の削減やそれに伴うコストの削減が可能となる。また、家電機器の暗号化キーを設定せずに、家電機器との通信では暗号化をしない設定としてもよい。
【００４８】
この実施形態において、スマートフォン３０は、図５で説明したように、冷蔵庫１０にＡＰ接続情報を送信する直前まで通信していたアクセスポイント２０のＡＰ接続情報を送信するので、正確なＡＰ接続情報を送信することができる。具体的に、例えば従来技術のように、スマートフォンに単に記憶されているＡＰ接続情報を送信する場合、記憶されているＡＰ接続情報が複数存在するときには（家庭のアクセスポイント以外に、例えば、よく使用する外出先のアクセスポイント２０のＡＰ接続情報など）、適切ではないＡＰ接続情報を送信する可能性がある。
【００４９】
一方、この実施形態におけるスマートフォン３０は、アクセスポイントに無線接続し、ＡＰ接続情報を保持する。すなわち、現在接続中のアクセスポイント２０のＡＰ接続情報を保持する。このとき、ユーザは冷蔵庫１０をアクセスポイントモードで動作させるために、ユーザは家庭内にいることから、家庭で使用しているアクセスポイント２０のＡＰ接続情報が保持される。そして、スマートフォン３０は、無線接続先をアクセスポイントから家電機器に切り替えた場合に、保持されているＡＰ接続情報を家電機器に送信するので、正確なＡＰ接続情報を送信することができる。なお、一般的に、無線ＬＡＮでは、同時に２つ以上のアクセスポイントには接続できないため、接続先のアクセスポイントのＡＰ接続情報は一意であるため、複数のＡＰ接続情報が保持されることはない。
【００５０】
以上述べた実施形態の情報処理装置によれば、家電機器をアクセスポイントに無線接続させるためのユーザの手間を削減することが可能となる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１０…冷蔵庫、２０…アクセスポイント、３０…スマートフォン、１０１、３０１…制御部、１１０、３０５…ＣＰＵ、１１１、３０６…ＲＯＭ、１１２、３０７…ＲＡＭ
【図１】
2020036224.tif 000003
【図２】
2020036224.tif 000004
【図３】
2020036224.tif 000005
【図４】
2020036224.tif 000006
【図５】
2020036224.tif 000007
【図６】
2020036224.tif 000008
【図７】
2020036224.tif 000009
【図８】
2020036224.tif 000010